(57)【要約】      （修正有）【課題】被切断物を一定の長さに継続的に、安定的に切断することができ、作業性の高い切断長さ計測用スケールを備えたスケール付ハサミを提供する。【解決手段】二枚の刃部１，２を、支軸３を中心として相互に摺り合わせて被切断物を切断する構成のスケール付ハサミＡの一方側の刃部１表面から側方に向けて切断長さ計測用スケール４を備えている。切断長さ計測用スケール４は、ガイド部材４ａと、このガイド部材４ａの長さ方向にスライド自在で、かつ、定着自在に取り付けられる測定部４ｂとを備えて構成され、ガイド部材４ａは、一端側が刃部１に取り付けられて側方に向けて備えられ、測定部４ｂは、ガイド部材４ａにスライド自在に取り付けらレール部材と、このレール部材から直立状に立ち上げられて被切断物の切り口が突き当てられる材料当て部とを備えて構成する。【選択図】図１
0003151160.tif 000002
【実用新案登録請求の範囲】
【請求項１】
二枚の刃部（１，２）を、支軸（３）を中心として相互に摺り合わせて被切断物（Ｂ）を切断する構成のスケール付ハサミであって、
前記二枚の刃部（１，２）のうち、少なくとも一方側の刃部（１）表面から側方に向けて切断長さ計測用スケール（４）を備えていることを特徴とするスケール付ハサミ。
【請求項２】
前記切断長さ計測用スケール（４）は、所望の長さを有し、かつ、輪切り断面視で略コの字形状のガイド部材（４ａ）と、
このガイド部材（４ａ）に、長さ方向にスライド自在で、かつ、定着自在に取り付けられる測定部（４ｂ）と、を備え、
前記ガイド部材（４ａ）は、一端側が前記刃部（１）に取り付けられて側方に向けて備えられ、
前記測定部（４ｂ）は、前記ガイド部材（４ａ）にスライド自在に取り付けられるレール部材（４ｂ−１）と、このレール部材（４ｂ−１）から直立状に立ち上げられて、前記被切断物（Ｂ）の端面が突き当てられる材料当て部（４ｂ−２）と、を備えていることを特徴とする請求項１に記載のスケール付ハサミ。
【考案の詳細な説明】
【技術分野】
【０００１】
本考案は、昆布、ワカメなどの長尺な被切断物を、所望の切断長さ（短尺）に切断するために使用されるスケール付ハサミに係り、特に、切断長さを測るための切断長さ計測用スケールを備えているスケール付ハサミに関する。
【背景技術】
【０００２】
例えば、昆布は、ハサミを用いた手作業で、所望の切断長さに切断している。ハサミは、昆布専用のものではなく、布地や紙など、その他の被切断物を切断するときに使われている一般的なものである（例えば、特許文献１および特許文献２など参照）。
【０００３】
ちなみに、昆布には天然ものと、養殖ものとがある。そして、昆布は、その長さ方向のうち、根側（根との境部分）から数センチから数十センチ範囲においては、他の部分に比べて薬用成分が豊富に含まれているために、この数センチから数十センチの部分は、薬用として業者に引き取られ、残る部分は製品用として、例えば、９０ｃｍの長さにて押切カットされて出荷されるものである。
そして、天然昆布と養殖昆布では、薬用として使用される前記の部分の長さが異なり、天然昆布は、例えば、５ｃｍで、養殖昆布は、例えば、１０ｃｍとされており、この部分の切断は、生のうちにハサミを用いた手作業で行われるものである。
【先行技術文献】
【特許文献】
【０００４】
【特許文献１】特開２００３−３１１０３９
【特許文献２】特開２００４−２４３０６７
【考案の概要】
【考案が解決しようとする課題】
【０００５】
ところで、従来のハサミでは、被切断物の切断長さを、切断するたびに物差しなどを用いて測りながら行わなければならないというように、手間が掛かっていた。そのために、作業性が悪い。また、物差しなどを使って切断長さを測りながら行っていても、作業者によって長さがまちまちになるなどのおそれがあった。すなわち、手作業による切断作業には、熟年が要求されるなど、その改善が望まれていた。
【０００６】
そこで、本考案は、前記課題を解消するために創案されたものであり、昆布などの被切断物の切断長さにセットすることで、昆布などの被切断物を一定の長さに継続的に、安定的に切断することができること、作業性を大幅に向上させることができるように改良された切断長さ計測用スケールを備えたスケール付ハサミを提供することにある。
【課題を解決するための手段】
【０００７】
前記課題を解決するために、本考案では、二枚の刃部を、支軸を中心として相互に摺り合わせて被切断物を切断する構成のスケール付ハサミであって、
前記二枚の刃部のうち、少なくとも一方側の刃部表面から側方に向けて切断長さ計測用スケールを備えていることを特徴とする。
ここで、前記切断長さ計測用スケールは、所望の長さを有し、かつ、輪切り断面視で略コの字形状のガイド部材と、このガイド部材に、長さ方向にスライド自在で、かつ、定着自在に取り付けられる測定部とを備えて構成されていること、そして、前記ガイド部材は、一端側が前記刃部に取り付けられて側方に向けて備えられ、前記測定部は、前記ガイド部材にスライド自在に取り付けられるレール部材と、このレール部材から直立状に立ち上げられて、前記被切断物の端面が突き当てられる材料当て部とを備えている構成とすることが好適なものとなる。
また、前記ガイド部材に対する前記測定部の定着手段として、蝶ネジなどのように素手で摘むことができる摘み頭部を有するネジを用いて行う構成を採用することが好適なものとなる。
【０００８】
このような構成によれば、昆布などの長尺な被切断物を切断するとき、被切断物の切断長さを切断長さ計測用スケールによって測りながら行うことができる。
このとき、切断長さ計測用スケールを構成するガイド部材の長さ方向において定着、例えば、一対の刃部からの切断長さ寸法に合わせたガイド部材の長さ方向部位において定着されている測定部に、被切断物の端面（切断口）を突き合わせることで、一定の長さで継続的に切断作業を行うことができる。
また、ガイド部材の長さ方向に対する測定部の定着位置を変更することで、切断長さを自在に変えることができる。
【考案の効果】
【０００９】
本考案のスケール付ハサミは、以上のように構成されていることで、昆布などの被切断物の切断長さにセットすることで、昆布などを一定の長さで安定的に切断することができる。また、従来のように、切断するたびに物差しを用いて切断長さを測らなければならないという手間が掛かる計測作業が不要となる。
これにより、作業性が大幅に改善されるという作業性の向上を期待することができる。
【００１０】
また、切断長さ計測用スケールを構成するガイド部材に定着されている測定部に、被切断物の端面（切り口）を突き当てるという簡単な操作で切断長さを測ることができ、しかも、ガイド部材の長手方向に対する計側部の定着位置を変更するという簡単な構造・操作で切断長さを自在に変えることができる。
これにより、汎用の広いスケール付ハサミとして、昆布やワカメのほかに、調理におけるごぼうやねぎなどの野菜類の切断として活用されることが期待される。つまり、調理用スケール付ハサミとしても活用される。
【図面の簡単な説明】
【００１１】
【図１】本実施形態の係る本考案のスケール付ハサミを示す斜視図である。
【図２】本実施形態に係る切断長さ計測用スケールを示す分解斜視図である。
【図３】図１に示す切断長さ計測用スケールの縦断拡大図である。
【図４】昆布を切断するときの使用の一例を示す説明図である。
【考案を実施するための形態】
【００１２】
以下、本考案の実施形態について、適宜図面を参照しながら詳細に説明する。
図１は、本実施形態に係るスケール付ハサミを示す斜視図である。
スケール付ハサミＡは、周知のように、二枚の刃部１,２を、支軸３を中心として、相互に摺り合わせることで、後記の図４に示すように、被切断物である昆布Ｂを切断するように構成されている。
そして、スケール付ハサミＡは、図１に示すように、一方側の刃部１表面から側方に向けて切断長さ計測用スケール４を備えている。
【００１３】
図２は、本実施形態に係る切断長さ計測用スケールを示す分解斜視図であり、図３は、図１に示す切断長さ計測用スケールの縦断拡大図である。ここでは、図１を適宜参照しながら説明する。
切断長さ計測用スケール４は、図１に示すように、一方側の刃部１に一端側が取り付けられるガイド部材４ａと、このガイド部材４ａに、長さ方向にスライド自在で、かつ、定着自在に取り付けら測定部４ｂとを備えて構成されている。
【００１４】
ガイド部材４ａは、金属材料や合成樹脂材料などの適宜の剛性を有する材料を用いて形成されている。このガイド部材４ａは、例えば、８ｃｍ程度の長さで、図２および図３に示すように、上向き開口の輪切り断面視で略コの字形状に形成されている。
【００１５】
そして、ガイド部材４ａの一端側には、図１および図２に示すように、取付板５が溶接やその他の固着手段によって略Ｔ字状に備えられており、この取付板５の両側にはネジ挿通孔６がそれぞれ設けられている。
これにより、ネジ挿通孔６から刃部１側に設けられているネジ孔７に対し、止めネジ８をねじ込み締結させることで、ガイド部材４ａを、図１に示すように、刃部１の長さ方向に対して直交させた状態で、該刃部１表面から側方に向けて取り付けられるようにしている。
つまり、測定部４ｂの後記する材料当て部４ｂ−２を刃部１に対して平行とし得るように、ガイド部材４ａは刃部１に取り付けられる。
【００１６】
また、図２に示すように、ガイド部材４ａの長さ方向における溝底部２ヶ所にはネジ挿通孔９，１０がそれぞれ設けられている。
このネジ挿通孔９，１０は、図１および図３に示すように、２枚の刃部１，２から測定部４ｂの材料当て部４ｂ−２に至る昆布Ｂの切断長さ（幅）Ｌ１，Ｌ２にて測定部４を定着ネジ１１によって定着し得るように、ガイド部材４ａの溝底部の各寸法位置にそれぞれ開口されている。
これにより、ネジ挿通孔９の開口位置にて定着ネジ１１により測定部４ｂをガイド部材４ａに定着させることで、昆布Ｂを、その根側（根との境部分）から切断長さＬ１、例えば、５ｃｍにて切断することができ、そして、ネジ挿通孔１０の開口位置にて定着ネジ１１により測定部４ｂをガイド部材４ａに定着させることで、昆布を、その根側（根との境部分）から切断長さＬ２、例えば、１０ｃｍにて切断することができるようにしている。
【００１７】
測定部４ｂをガイド部材４ａに定着させる定着ネジ１１は、図２および図３に示すように、ドライバやその他の締付け工具を使用することなく、素手で摘んで締付けることができるように、摘み頭部の外周面にローレットやその他の滑り止めが施されている。
【００１８】
測定部４ｂは、金属材料や合成樹脂材料などの適宜の剛性を有する材料を用いて形成されている。この測定部４ｂは、図２および図３に示すように、ガイド部材４ａにスライド自在に取り付けらレール部材４ｂ-１と、このレール部材４ｂ−１から直立状に立ち上げられる材料当て部４ｂ−２とを備えて形成されている。
【００１９】
レール部材４ｂ−１は、図２および図３に示すように、ガイド部材４ａの溝にスライド自在に挿嵌される輪切り断面形状を有する所望の長さの厚板帯状に形成されている。そして、レール部材４ｂ−１は、定着ネジ１１をねじ込み締結させるネジ孔１２を備えている。
【００２０】
材料当て部４ｂ−２は、後記の図４に示すように、布Ｂの切り口ｂが突き合わせられることで、２枚の刃部１，２からの昆布Ｂの切断長さ（幅）Ｌ１，Ｌ２が計測されるものである。この材料当て部４ｂ−２は、図２に示すように、レール部材４ｂ−１の短辺一端側において所望の高さにて一体に連設されて直立状に立ち上げられることで、昆布Ｂの切り口ｂが突き当てられる（受け止められる）ようにしている。
また、材料当て部４ｂ−２は、図２から図４に示すように、二枚の刃部１，２と平行な状態で昆布Ｂの切り口ｂが安定よく突き当てられるように横長の幅広に形成されている。
【００２１】
［作用説明］
図４は、昆布を切断するときの使用の一例を示す説明図である。
つぎに、以上のように構成されている切断長さ計測用スケール４を備えた本実施形態に係るスケール付ハサミＡの使い方について簡単に説明する。ここでは、図１および図３を適宜参照しながら説明する。
まず、昆布Ｂの切断長さ（幅）Ｌ１，Ｌ２に合わせて、ガイド部材４ａに開口されているネジ挿通孔９またはネジ挿通孔１０を選択する。例えば、図１に示す切断長さＬ１を選択したときには、ネジ挿通孔９から定着ネジ１１を挿通させて、ガイド部材４ａにスライド自在に組み込まれている測定部４ｂのレール部材４ｂ−１のネジ孔１２にねじ込み締結させる（図３参照）。
そして、測定部４ｂの材料当て部４ｂ−２を、２枚の刃部１，２からの切断長さＬ１にてガイド部材４ａに定着させた状態で、図４に示すように、昆布Ｂの切り口ｂを材料当て部４ｂ−２に突き当てながら昆布Ｂを２枚の刃部１，２で切ることにより、昆布Ｂを切断長さＬ１にて継続的に切断することができる。
【００２２】
このように、本実施形態に係るスケール付ハサミＡによれば、昆布Ｂを切断するとき、昆布Ｂの切断長さＬ１，Ｌ２を切断長さ計測用スケール４によって一定の長さで継続的に行うことができる。
また、ガイド部材４ａの長さ方向に対する測定部４ｂの定着位置を変更することで、切断長さＬ１，Ｌ２を自在に変えることができる。
【００２３】
なお、本考案の実施形態の具体的な構成は、前記した各実施形態に限らレール部材ものではなく、請求項１および請求項２に記載の本考案の要旨を逸脱しない範囲で設計変更などがあっても本考案に含まるものである。
例えば、切断長さ計測用スケール４を構成するガイド部材４ａの刃部１に対する取り付け構造として、溶接などによって一体的に取り付けることができる。また、ガイド部材４ａの一端側に備えられている取付板５を、刃部１との間で挟み込むバネ材などからなる保持片を刃部１の表面により備え、この保持片の弾性力（保持力）によって取付板５を刃部１との間に挟持させるなどによりガイド部材４ａの一端側を取り付けることができる。つまり、ガイド部材４ａ（切断長さ計測用スケール４）を刃部１に脱着可能に取り付けることができる。
【００２４】
また、ネジ挿通孔９，１０に変えて、ガイド部材４ａの長さ方向の略全長に至る長孔とすることができる。この場合、前記の実施形態と同じく定着ネジ１１によって測定部４ｂを形成するレール部材４ｂ−１をガイド部材４ａに定着させることができることは勿論、レール部材４ｂ−１側にネジ部のみを備え、蝶ナットなどのナット部材を用いてガイド部材４ａに定着させることもできる。そして、ガイド部材に昆布Ｂの切断長さＬ１，Ｌ２などの切断長さ寸法を示す目盛りを施すことができる。
これにより、昆布Ｂの切断長さＬ１，Ｌ２に合わせて定着位置を変更するときには、定着ネジ１１をレール部材４ｂ−１から取り外すことなく、緩めるのみの操作で、測定部４ｂをスライド移動させた後に、締付ける操作で、測定部４ｂを切断長さＬ１，Ｌ２に合わせて定着させることができる。
【００２５】
また、ガイド部材４ａを、帯板状や棒状、パイプ状などに形成することができる。帯板状とした場合は、ネジ挿通孔９，１０や前記の長孔を設けることで、定着ネジ１１による測定部４ｂの定着が可能になる。
一方、棒状、パイプ状とした場合には、レール部材４ｂ−１を円筒状に形成し、この円筒状レール部材にネジ孔を設けることで、定着ネジ１１による測定部４ｂの定着が可能になる。
【符号の説明】
【００２６】
Ａ：スケール付ハサミ    １，２：刃部    ３：支軸    ４：切断長さ計測用スケール
４ａ：ガイド部材  ４ｂ：測定部    ４ｂ−１：レール部材    ４ｂ−２：材料当て部
Ｂ：昆布（被切断物）    ｂ：切り口（端面）
【図１】
0003151160.tif 000003
【図２】
0003151160.tif 000004
【図３】
0003151160.tif 000005
【図４】
0003151160.tif 000006